(57)【要約】      （修正有）【課題】和服を着用時に和服の衿元から衿山線上部分が見える和装下着において、バチ衿型状の衿芯を使用した時に、首の横側でバチ衿型状の衿芯が立つことのない様に、又、和装下着の胸元の衿が浮かないようにバチ衿型形状の衿芯の張りの強さを和らげ、和装下着の衿元が美しい「なで肩」の状態に継続出来る、バチ衿型形状の衿芯を提供する。【解決手段】従来のバチ衿型形状の衿芯２に丸型開口部を設け、その範囲や形状、大きさや数などを鑑みて、衿芯の外周部分には強度と張りがある上に、充分な柔軟性があるので、体に自然に沿って美しい着姿を作れるバチ衿型形状の衿芯を提供する。【選択図】図２
0003235469.tif 000002
【実用新案登録請求の範囲】
【請求項１】
和服を着用時に和服の衿元から衿山線（１c）部分が見える和装下着（１）において、その地衿（１b）と半衿（１d）の隙間に挿入して使用する後入れ用の衿芯（２）であって、和装下着（１）の衿型であるバチ衿型形状の同型の２枚組からなり、左右２方向から挿入して使用し、それぞれの先入部分が衿（１a）の背中心（１x）を通過し、相対する衿肩周り（１e）で重なり合う２重構造となることを特徴とする前記バチ衿型形状の衿芯（２）において、前記衿芯（２）に複数の丸型開口部（２a）を設けており、前記複数の丸型開口部（２a）は、前記衿芯（２）の衿芯先端部（２b）から縦長方向の全長（２j）の略４分の１の位置（２e）と、相反する衿芯底辺部（2f）から縦長方向の全長（２j）の略４分の１の位置（２k）との間の部分（A）と、前記衿芯（２）の衿山線（２c）から衿芯横幅（２g）の略３分の1の位置（２h）と、衿付け線（２d）との間の部分（B）の、２つの部分が重なる範囲（C）から、衿付け線部（２d）方向を排除した部分〈 D 〉であることを特徴としたバチ衿型形状の衿芯（２）。
【請求項２】
前記複数の丸型開口部（２a）の形状は略円形であって、その数は４から３０までの間であることを特徴とする請求項１記載のバチ衿型形状の衿芯（２）。
【考案の詳細な説明】
【技術分野】
【０００１】
本考案は、和服を着用時に、和服の衿元から衿山線上部分が見える地衿の和装下着において、その地衿と半衿の隙間に挿入して使用する後入れ用の衿芯に関する。
【背景技術】
【０００２】
従来の和装下着の衿は、和装下着の衿の長手方向に２つ折りした半衿を表裏両面にかけ、着用時に衿の裏側と半衿の隙間に片目のプラスチック製等の１本の長くて細い衿芯を挿入し、衿を補強することにより、和装下着の衿山線上部分に張りを持たせ、美しい衿元を継続させるように形成されている。
【０００３】
しかしながら、和装下着の衿は背中心から長手方向の衿先に向かって、衿幅が広くなっていく形状のバチ衿と称される衿型であるから、従来の細長い衿芯が半衿の中で幅移動によるズレを起こして、和装下着の衿山線上部分にシワが生じて着崩れが起こるという問題があった。
【０００４】
そして、従来の衿芯は衿に掛けた半衿と衿裏側との隙間に一方の衿先方向から挿入するので、細長い隙間への出し入れには時間と手間をかけなければいけなかった。和装下着の着付けの準備が大変なストレスを起こし、着物離れにもつながるという問題があった。
【０００５】
その上、無理な出し入れ方法により衿芯自体が損傷してしまい、衿芯として使用不可能な折れ曲がった状態になってしまうので、頻繁な買い替えという問題があった。
【０００６】
この様な問題を解決する為に、和装姿の土台となるべく和装下着の地衿を、張りの有る美しい衿元にする為や、簡単な衿芯の出し入れが出来る、後入れ用の衿芯の考案がなされてきた。例えば特許文献１の衿芯がある。
【先行技術文献】
【特許文献】
【０００７】
【特許文献１】特許第4979028号 バチ衿型形状の衿芯
【考案の概要】
【考案が解決しようとする課題】
【０００８】
特許文献１には和装下着のバチ衿型地衿と半衿の隙間に挿入して、バチ衿型地衿の衿幅一杯にバチ衿型形状の衿芯を挿入し、和装下着の衿山線上に美しい張りを持たせる発明が開示されている。
【０００９】
しかしながら、現代人はメリハリの有る、隆起に富んだ体型に変化してきている。肩は「いかり肩」と称される肩幅が広くて上に突き出した状態の体型が多くなり、又、胸が大きくて肩から胸にかけて衿が浮き上がったような状態の衿元になり、着付けの土台となる和装下着の衿元を美しく整える事さえ出来難いので、特許文献１のバチ衿型形状の衿芯を使用したのでは、「なで肩」の美しい着姿にすることは難しい。
【００１０】
本考案は前記のような課題に鑑み、その課題を解決すべく創案されたものであって、その 目的とするところは、和服を着用時に和服の衿元から衿山線上部分が見える和装下着において、バチ衿型状の衿芯を使用した時に、首の横側でバチ衿型状の衿芯が立つことのない様に、又、和装下着の胸元の衿が浮かないようにバチ衿型形状の衿芯の張りの強さを和らげ、和装下着の衿元が美しい「なで肩」の状態に継続出来ることを目的としている。
【課題を解決するための手段】
【００１１】
本考案は、衿芯に開口部を設け、それにより素材の無駄な強度を弱めて、体に沿う柔軟性を維持し、反して衿芯の外周部分の強度はしっかりと維持できるように開口部の位置と開口部の数、そして開口部の大きさや形状を最適な状態にして開口部を制作する事でバチ衿型形状の衿芯の無駄な張りを無くし、従来から求められている美しい着姿である「なで肩」を、維持することが可能になり、前記課題を解決したものである。
【００１２】
以上の説明から明らかなように、本考案にあっては次にあげるような効果が得られる。
【考案の効果】
【００１３】
本考案においては、バチ衿型形状の衿芯（２）の素材の優良さを活かして、開口部を設ける事で柔軟性や衿芯の外周部の張りを維持する事が出来るので、美しい衿元の維持が可能になる。
【００１４】
又、和服を仕事で日常的に着用をする方には、衿自体が柔らかくて体に優しく添ってくれるので、日常動作による着崩れが少なく、動作も楽に負担なく過ごすことができるので快適である。勿論、バチ衿型形状の芯自体がズレたり緩みを生じる事もなく、張りのある美しい衿が継続される。
【００１５】
そして、着物を着るだけでなく、着物の着付け後の着姿にこだわりがあり、より美しい着姿を求める着物愛好者達の要望である、衿芯が柔らかいので自分なりの着付け方法が出来、その出来上がりに満足してもらえる「はんなりした着姿」を満たすことができる。衿芯自体が硬くて主張しすぎない、個々の着付け方法に柔軟に対応できるという効果がある。
【００１６】
何より、バチ衿型形状の衿芯には、開口部を設けてなかったので、硬いだけでなく、大きくて広い範囲を覆うことは汗や体温を発散することもできないので熱がこもって暑苦しさがあったが、開口部を設けることで、熱の発散が出来きて快適に着用できるという効果がある。
【００１７】
つまり、バチ衿型形状の衿芯に設ける本考案の開口部は、衿芯の外周部分の張りはそのままで、しかし、全体としての柔軟性を持たせるので体に沿った、今までにない楽で、尚且つ美しい着姿を維持することのできる衿芯を提供出来る。
【図面の簡単な説明】
【００１８】
【図１】従来の和装下着の着用図である。
【図２】和装下着（１）の左右の半衿（１d）にバチ衿型形状の衿芯（２）を挿入している図である。
【図３】和装下着（１）の後ろ姿で、背中心（１x）で相反する肩周り（１e）で重なりあう状態のバチ衿型形状の衿芯（２）の図である。
【図４】バチ衿型形状の衿芯（２）の縦長方向の全長（２j）の４分の１の位置（２e）と、相反する衿芯底辺部（2f）から縦長方向の全長（２j）の４分の１の位置（２k）との間の部分〈 A 〉 の図である。
【図５】バチ衿型形状の衿芯（２）の衿山線（２c）から衿芯横幅（２g）の３分の1の位置（２h）と、衿付け線（２d）との間の部分〈 B 〉の図である。
【図６】バチ衿型形状の衿芯（１）の、２つの部分〈 A 〉〈 B 〉が重なる範囲〈 C 〉に、丸型開口部（２a）が設けられる図である。
【図７】バチ衿型形状の衿芯（１）の、２つの部分〈 A 〉〈 B 〉が重なる部分〈 C 〉において、衿付け線部（２d）方向も排除して、より厳選された部分〈 D 〉である。
【図８】バチ衿型形状の衿芯（２）に直線方向に丸型開口部（２a）が設けられているが、丸型開口部（２a）の大きさは衿芯の太さにより比例している図である。
【図９】バチ衿型形状の衿芯（２）に丸型開口部（２a）が２箇所に分かれて直線方向に設けられている場合の図である。
【図１０】バチ衿型形状の衿芯（２）に丸型開口部（２a）が３箇所に分かれて直線方向に設けられている場合の図である。
【図１１】バチ衿型形状の衿芯（２）に丸型開口部（２a）が２箇所に分かれて斜め方向に設けられている場合の図である。
【図１２】バチ衿型形状の衿芯（２）に丸型開口部（２a）が２箇所に分かれて斜め方向に設けられている場合の図である。
【図１３】バチ衿型形状の衿芯（２）に丸型開口部（２a）が３箇所に分かれて斜め方向に設けられている場合の図である。
【図１４】バチ衿型形状の衿芯（２）に丸型開口部（２a）が２箇所に分かれて丸型に設けられている場合の図である。
【図１５】バチ衿型形状の衿芯（２）に丸型開口部（２a）が３箇所に分かれて丸型に設けられている場合の図である。
【００１９】
本考案の衿芯の開口部（２a）は、バチ衿型形状の衿芯（２）に設けることとする。開口部（２a）の設けられる範囲、形状、数や大きさの最適な形態を以下に述べる。又、バチ衿型形状の衿芯（２）の素材はプラスチック等の材質で製作されるが、弾力性と復元力が最も適しているのは発泡ポリエチレン製のものである。
【００２０】
バチ衿型形状の衿芯（２）に開口部（２a）を設ける最適な部分としては、先ず、衿芯（２）の縦長方向の範囲について述べる。バチ衿型形状の衿芯（２）の縦長方向の全長（２j）を略４等分して、衿芯先端部（２b）からの略４分の１の長さの位置（２e）までの部分には開口部（２a）を設けない。なぜなら衿芯先端部（２b）は、バチ衿型形状の衿芯（２）を左右の半衿の隙間に衿芯先端部（２b）から挿入し、首の後ろで２枚が重ねる部分だからである。この２枚の衿芯が重なった衿抜き部（１g）は、体から離れている上に、張りと強度を持っていないと美しい後ろ姿が維持できないのである。
【００２１】
次に、同じように、バチ衿型形状の衿芯（２）の縦長方向の全長（２j）を略４等分した時の、縦長方向の衿芯全長（２j）の衿芯底辺部（２f）から略４分の１長さの位置（２k）までの部分にも開口部（２a）を設けない方が良い。なぜなら、衿芯の出し入れの作業の時には、この部分を手や指で持ち、出し入れするからである。開口部（２a）を設けると素材が柔らかくなるので扱いにくい。
【００２２】
つまり、本考案の開口部（２a）は、バチ衿型形状の衿芯（２）の縦長方向の全長（２j）を略４等分した場合、両端の略４分の１の部分には設けることが出来ないということになる。
【００２３】
さらに、バチ衿型形状の衿芯（２）の縦長方向の全長（２j）を略５等分した場合では、衿芯先端部（２b）の略５分の１に、着付けでの無理な湾曲で、負荷が掛かる衿抜き部分と開口部（２a）が重なってしまうので、衿抜き部分（１g）に挿入された衿芯は破損を招く確率が高くなる。又、バチ衿型形状の衿芯（２）の縦長方向の全長（２j）の略３等分では、衿芯の柔軟性を一番求められている首の横の位置で、柔軟性が不足してしまう。
【００２４】
よって、バチ衿型形状の衿芯（２）の縦長方向の全長（２j）を略４等分した場合を想定するのが最もよい。すなはち、バチ衿型形状の衿芯（２）に設ける開口部（２a）の縦方向の部分にはバチ衿型形状の衿芯（２）の縦長方向の全長（２j）を略４等分して、両端の略４分の１を除いた衿芯中央の部分〈 A 〉に開口部（２a）を設ける事が最良である。
【００２５】
次に、バチ衿型形状の衿芯（２）に開口部（２a）を設ける部分として、衿芯の横幅方向の部分について述べる。バチ衿型形状の衿芯（２）の衿芯の横幅方向の全幅（２g）を略３等分する。衿芯の衿山線（２c）から略３分の1の幅（２h）は、着物の衿元から見える和装下着の衿山線部（１a）となるので、衿芯は、しっかりと支える為に張りと強度が必要となる。よって、衿山線（２c）から横幅方向の全幅（２g）の略３分の１の位置（２h）までには開口部（２a）を設けない方が良い。
【００２６】
よって、バチ衿型形状の衿芯（２）に開口部（２a）を設ける部分として、衿芯の横幅方向の部分は横幅方向の全幅（２g）の衿山線部（２c）の略３分の１の位置（２h）を除いた部分〈 B 〉に開口部（２a）を設けるのが最適である。
【００２７】
しかし、バチ衿型形状の衿芯（２）の衿付け線部（２d）には、やはり衿芯の出し入れ時に負荷がかかるので、衿芯の周囲強度は保つべきである。
【００２８】
つまり、バチ衿型形状の衿芯（２）に設ける位置として最適な部分は、バチ衿型形状の衿芯（２）の縦長方向の全長（２j）の衿芯中央部分〈 A 〉と、衿芯の横幅方向の全幅（２g）の衿山線部（２c）方向を除いた、部分〈 B 〉とが重なった部分〈 C 〉であり、より最適な部分は部分〈 C 〉から衿付け線部（２d）方向も排除した部分〈 D 〉である。
【００２９】
さらに、開口部（２a）の数だが、１、２個の開口部（２a）を設けてもバチ衿型形状の衿芯（２）の張りや強度には変化はない、開口部（２a）の数は大きさや形状と照らし合わせると５〜２０が良い、しかし、細長い形状の物品であるので、少し小さめな形状にして、開口部（２a）の数を増やし、８〜２４を２箇所に分けて配置すると最適である。さらに、開口部（２a）の数を１２〜３３にして３箇所に分けて連続して配置すると、体の線に沿った柔軟性ができ、より最良である。
【００３０】
先に述べたように、開口部（２a）の数によって柔軟な衿芯にできるが、開口部（２a）の形状も重要である。四角や菱形の形状だと、角張った端を起点として割れ始め、亀裂を生じるため、損傷が起こりにくい略円形が最適である。
【００３１】
開口部（２a）の形状は略円形が最適ではあるが、丸型開口部（２a）の配置と直径の大きさでも大きく変わってくる。丸型開口部（２a）の最良の配置部分である部分〈 D 〉において、衿芯先端部（２b）方向は衿芯幅を考慮して丸型開口部（２a）の直径を小さく設定し、衿芯底辺部（２f）方向には、丸型開口部（２a）の直径を大きく設定する事で、衿芯に負担をかけずに柔軟性を増すことができる。
【００３２】
それぞれの位置での丸型開口部（２a）の大きさだが、衿芯先端部（２b）方向では、１mm〜３mmが良い。そして、衿芯の細い部分に複数の丸型開口部（２a）を設けるので、大きな丸型開口部（２a）は必然的に無理であり、２mmが最適である。又、衿芯底辺部（２f）の方向には、少し大きな丸型開口部（２a）にして、複数の丸型開口部（２a）にするので、４mm〜７mmが的確である。そして、胸の厚みで胸元が跳ねて下着が見えないようにすることを考慮すると５mmが最適である。
【符号の説明】
【００３３】
１      和装下着 
１ａ    和装下着の衿山線部
１ｂ    和装下着の地衿
１d     和装下着の半衿
２      バチ衿型形状の衿芯
２ａ    バチ衿型形状の衿芯の開口部
２ｂ    バチ衿型形状の衿芯衿芯の先端部
２ｃ    バチ衿型形状の衿芯の衿山線部
２ｄ    バチ衿型形状の衿芯の衿付け線
２ｅ    バチ衿型形状の衿芯の衿芯先端部からの４分の１の長さの位置
２f     バチ衿型形状の衿芯の衿芯底辺部
２g     バチ衿型形状の衿芯の衿芯底辺部の幅
２h     バチ衿型形状の衿芯の衿山線から衿芯横幅の３分の1の位置
２j     バチ衿型形状の衿芯の縦長方向の全長
〈 A 〉バチ衿型形状の衿芯（２）の縦長方向の全長（２j）の４分の１の位置（２e）と、相反する衿芯底辺部（2f）から縦長方向の全長（２j）の４分の１の位置（２k）との間の部分
〈 B 〉バチ衿型形状の衿芯の横幅方向の全幅の衿山線部の３分の１の位置を除いた部分
〈 C 〉バチ衿型形状の衿芯の縦長方向の全長の衿芯中央部分〈 A 〉と、衿芯の横幅方向の全幅の衿山線部方向を除いた、部分〈 B 〉とが重なった部分
〈 D 〉〈 C 〉から衿付け線部（２d）方向も排除して、より厳選された部分
【図１】
0003235469.tif 000003
【図２】
0003235469.tif 000004
【図３】
0003235469.tif 000005
【図４】
0003235469.tif 000006
【図５】
0003235469.tif 000007
【図６】
0003235469.tif 000008
【図７】
0003235469.tif 000009
【図８】
0003235469.tif 000010
【図９】
0003235469.tif 000011
【図１０】
0003235469.tif 000012
【図１１】
0003235469.tif 000013
【図１２】
0003235469.tif 000014
【図１３】
0003235469.tif 000015
【図１４】
0003235469.tif 000016
【図１５】
0003235469.tif 000017